(57)【要約】【課題】構造が簡易化できるとともに、小型化が可能な画像処理装置の画像処理済みシート材仕分け装置を提供することを目的としている。【解決手段】複数の受け皿を有し、画像処理装置に設けられた排出部から排出される画像処理されたシート材を、シート材受け位置に順に移動してくる受け皿に仕分けた状態で受けさせる画像処理装置の画像処理済みシート材仕分け装置において、各受け皿が同一軌道上を上下方向に移動可能に支持され、前記軌道の最下部ですべての受け皿が上下方向に重ね合わせ状態に保持可能になっているとともに、上段の受け皿に設定枚数のシート材が受けられたら、シート材を受けた受け皿を、シート材受け位置より上方位置に移動させ、１つ下段の受け皿をシート材受け位置に移動させる受け皿作動機構を備えていることを特徴としている。【選択図】      図１
2005145596.tif 000002
【特許請求の範囲】
【請求項１】
複数の受け皿を有し、画像処理装置に設けられた排出部から排出される画像処理されたシート材を、シート材受け位置に順に移動してくる受け皿に仕分けた状態で受けさせる画像処理装置の画像処理済みシート材仕分け装置において、
各受け皿が同一軌道上を上下方向に移動可能に支持され、前記軌道の最下部ですべての受け皿が上下方向に重ね合わせ状態に保持可能になっているとともに、上段の受け皿にシート材が受けられたら、シート材を受けた受け皿を、シート材受け位置より上方位置に移動させ、１つ下段の受け皿をシート材受け位置に移動させる受け皿作動機構を備えていることを特徴とする画像処理装置の画像処理済みシート材仕分け装置。
【請求項２】
複数の受け皿を有し、画像処理装置に設けられた排出部から排出される画像処理されたシート材を、シート材受け位置に順に移動してくる受け皿に仕分けた状態で受けさせる画像処理装置の画像処理済みシート材仕分け装置において、
各受け皿が同一軌道上を上下方向に移動可能に支持され、前記軌道の最上部ですべての受け皿が上下方向に重ね合わせ状態に保持可能になっているとともに、下段の受け皿にシート材が受けられたら、シート材を受けた受け皿を、シート材受け位置より下方位置に移動させ、１つ上段の受け皿をシート材受け位置に移動させる受け皿作動機構を備えていることを特徴とする画像処理装置の画像処理済みシート材仕分け装置。
【発明の詳細な説明】
【技術分野】
【０００１】
本発明は、画像処理装置の画像処理済みシート材仕分け装置に関する。
【背景技術】
【０００２】
写真処理装置やデジタル画像プリンタ等の画像処理装置においては、画像処理装置から排出される画像処理済みのシート材をオーダー毎に仕分ける仕分け装置が装着されたものがある。
このような仕分け装置として、図９に示すような仕分け装置１００や図１０に示すような仕分け装置２００が従来から用いられている（たとえば、特許文献１、２参照）。
【０００３】
すなわち、図９に示す仕分け装置１００は、画像処理装置３００の一方の側壁面に沿うように設けられ、画像処理済みのシート材（図示せず）を受ける受け部となる多数の受け皿１１０を多数備えていて、各受け皿１１０が画像処理装置３００に設けられた排出部３１０から排出される画像処理されたシート材の受け位置を含む周回軌道上を移動するようになっている。そして、排出部３１０に臨む位置に移動してきた受け皿１１０のシート材受け面上にシート材がオーダー分受けられたら、そのシート材が受けられた受け皿１１０が一段下方に移動し、つぎの受け皿１１０が排出部３１０を臨む位置にきて、次のオーダー分のシート材がつぎの受け皿１１０の受け部に受けられるという工程を繰り返し、シート材がオーダー毎に各受け皿１１０に仕分けられるようになっている。そして、受け皿１１０に受けられたシート材は、周回軌道の下端に達するまでの間にオペレータ等によって手で取り出されるようになっている。
【０００４】
一方、図１０に示す仕分け装置２００は、画像処理装置４００の画像処理済みシート材５００の排出口４１０を臨む部分にベルトコンベヤ２１０が設けられ、排出口４１０から排出されたシート材５００を受け部となる停止状態のベルトコンベヤ２１０の上面で受け、ベルトコンベヤ２１０上に設定された枚数のシート材が受けられたら、シート材が受けられた部分を排出部４１０を臨む部分からずれた位置まで水平方向に移動させるという動作を繰り返すことによって、シート材をオーダー毎に仕分けるようになっている。
【０００５】
【特許文献１】特開２００１−１３６６７号公報
【特許文献２】特開２００１−９２０２４号公報
【発明の開示】
【発明が解決しようとする課題】
【０００６】
しかしながら、上記仕分け装置１００，２００にはいずれもつぎのような問題があった。すなわち、前者の仕分け装置１００の場合、周回軌道の最下端まできた受け皿１１０は、そのシート材受け面が反転するとともに、半分に折り畳まれた状態で、周回軌道の上端方向に移動するようになっている。したがって、受け皿を折り畳む機構等を設けなけらばならず装置が複雑であるとともに、折り畳まれた受け皿を上方に搬送するスペースが余分に必要で装置が大型化せざるを得ない。
【０００７】
一方、後者の仕分け装置２００の場合、受け部を多数設けようとすると、ベルトコンベヤ２１０の長さを長くする必要があり、結果として画像処理装置もベルトコンベヤ２１０の搬送方向に大きくせざるを得ない。
【０００８】
本発明は、上記事情に鑑みて、構造が簡易化できるとともに、小型化が可能な画像処理装置の画像処理済みシート材仕分け装置を提供することを目的としている。
【課題を解決するための手段】
【０００９】
上記目的を達成するために、本発明にかかる画像処理装置の画像処理済みシート材仕分け装置は、複数の受け皿を有し、画像処理装置に設けられた排出部から排出される画像処理されたシート材を、シート材受け位置に順に移動してくる受け皿に仕分けた状態で受けさせる画像処理装置の画像処理済みシート材仕分け装置において、各受け皿が同一軌道上を上下方向に移動可能に支持され、前記軌道の最下部ですべての受け皿が上下方向に重ね合わせ状態に保持可能になっているとともに、上段の受け皿にシート材が受けられたら、シート材を受けた受け皿を、シート材受け位置より上方位置に移動させ、１つ下段の受け皿をシート材受け位置に移動させる受け皿作動機構を備えていること、あるいは、各受け皿が同一軌道上を上下方向に移動可能に支持され、前記軌道の最上部ですべての受け皿が上下方向に重ね合わせ状態に保持可能になっているとともに、下段の受け皿に設定枚数のシート材が受けられたら、シート材を受けた受け皿を、シート材受け位置より下方位置に移動させ、１つ上段の受け皿をシート材受け位置に移動させる受け皿作動機構を備えていることを特徴としている。
【発明の効果】
【００１０】
本発明にかかる画像処理済みシート材仕分け装置は、以上のように、初期状態では受け皿が重ねられた状態で上下方向の厚みがコンパクトになる。また、受け皿がその積み重ね位置から上方また下方のいずれか一方向にのみ移動するようになっているので、受け皿を反転させるスペースが不要で水平方向の幅も少なくすることができる。しかも、受け皿を上下方向に移動させるだけであるので、受け皿作動機構も単純なもので済み、装置コストの低減化を図ることができる。
【発明を実施するための最良の形態】
【００１１】
以下に、本発明を、その実施の形態をあらわす図面を参照しつつ詳しく説明する。
図１〜図５は、本発明にかかる画像処理装置の画像処理済みシート材仕分け装置の１つの実施の形態をあらわしている。
【００１２】
図１に示すように、この画像処理済みシート材仕分け装置（以下、「仕分け装置」とのみ記す）１は、画像処理装置としてのインクジェット式プリンタ２に装着されるようになっていて、図１〜図５に示すように、４枚の受け皿３ａ〜３ｄと、受け皿作動機構４とを備えている。
【００１３】
４枚の受け皿３ａ〜３ｄのうち、最下段の受け皿３ｄは、後述するインクジェット式プリンタ２の搬送ベルト２１の排出部を臨む位置に固定されている。
他の３枚の受け皿３ａ〜３ｃは、短手方向の両端が上方に折れ曲がった略樋状をしているとともに、その長手方向の一端が後述する受け皿作動機構４の対応する受け皿支持部４１（４２，４３）にそれぞれ支持固定されているとともに、長手方向の１方の端縁がその中央で切り欠かれている。
【００１４】
受け皿作動機構４は、カバー４５内に駆動ベルト４６と、駆動モータ４７と、ガイドシャフト４８と、第１センサＳ１と、第２センサＳ２と、３つの受け皿支持部４１〜４３とを備えている。
駆動ベルト４６は、カバー４５内の上下に設けられた駆動プーリー４６ａと従動プーリー４６ｂと間に掛け渡されている。
【００１５】
駆動モータ４７は、正逆回転可能になっているとともに、ベルト４７ａおよびプーリー４７ｂを介してその回転駆動力が駆動プーリー４６ａの駆動軸に伝達されるようになっている。
ガイドシャフト４８は、駆動ベルト４６と受け皿３ａ〜３ｄとの間に垂設されている。
【００１６】
３つの受け皿支持部４１〜４３は、それぞれ水平アーム部４１ａ（４２ａ，４３ａ）と、垂直支持部４１ｂ（４２ｂ，４３ｂ）とを備えている。
水平アーム部４１ａ〜４３ａは、それぞれその一端部に設けられたスライドベアリング４４を介してカイドシャフト４８にそって上下方向にスライド自在に支持され、他端に垂直支持部４１ｂ〜４３ｂの上端が固定されているとともに、上側の水平アーム部４１ａ（４２ａ）が、直下の水平アーム部４２ａ（４３ａ）より、略垂直支持部４１ｂ（４２ｂ）の厚みより少し長さが長く形成されている。また、各水平アーム部４１ａ〜４３ａの一端には、後で詳述する第１センサＳ１および第２センサＳ２の遮蔽板４１ｃ〜４３ｃが突設されているとともに、最上段の水平アーム部４１ａのみが駆動ベルト４６にその一端を固定されている。
【００１７】
垂直支持部４１ｂ〜４３ｂは、その上端が対応する水平アーム部４１ａ（４２ａ，４３ａ）にそれぞれ固定され、その下端に受け皿枢支部４１ｅ（４２ｅ，４３ｅ）がそれぞれ受け皿方向に水平に突設され、受け皿３ａ〜３ｃの長手方向の一端が受け皿３ａ〜３ｃを水平位置から垂直支持部４１ｂ（４２ｂ，４３ｂ）に対して平行になる位置まで回動可能に枢支されている。
また、最上部の受け皿支持部４１の垂直支持部４１ｂの下端には、断面略Ｌ字形の金具を取り付けることによって形成された受け皿枢支部４１ｅと反対方向に突出する受け皿支持４２の係止部４１ｆを備えている。
【００１８】
受け皿支持部４２の垂直支持部４２ｂは、その上端に断面略Ｌ字形の金具を取り付けることによって形成された受け皿枢支部４２ｃ方向に突出し、受け皿支持部４１が上方に向かって移動するとき、係止部４１ｆが下方から係合する被係止部４２ｆを有し、その下端に断面略Ｌ字形の金具を取り付けることによって形成された受け皿枢支部４２ｅと反対方向に突出する受け皿支持部４３の係止部４２ｇを備えている。
受け皿支持部４３の垂直支持部４３ｂは、その上端に断面略Ｌ字形の金具を取り付けることによって形成された受け皿枢支部４３ｅ方向に突出し、受け皿支持部４２が上方に向かって移動するとき、係止部４２ｇが下方から係合する被係止部４３ｇを備えている。
【００１９】
また、垂直支持部４３ｂの下端には、第２センサＳ２の遮蔽板４３ｈが突設されている。
第１センサＳ１および第２センサＳ２は、光透過型フォトインタラプタが用いられていて、後述する上から３番目の受け皿支持部４３の上下に設けられた２つの遮蔽板４３ｃ，４３ｈの間隔と同じ間隔で上下に設けられている。
【００２０】
一方、インクジェット式プリンタ２は、図６に示すように、略直方体の筐体２０内に巻回された長尺のプリント用紙を収納する用紙収納部２ａと、用紙収納部２ａから引き出されたプリント用紙Ｐ１を搬送するためのアドバンスローラユニット２２と、プリント用紙Ｐ１に画像を印刷するための印刷ユニット２３と、画像が印刷されたプリント用紙Ｐ１を切断するための切断ユニット２４と、切断され所定のサイズにされた画像処理済みシート材としての印刷済み用紙Ｐ２を排出口２７まで搬送するための排出ローラユニット２５とを備えている。
アドバンスローラユニット２２は、駆動ローラ対から構成され、用紙収納部２ａに収納されているロール紙から引き出されたプリント用紙Ｐ１を搬送台２６上においてインクジェット方式の印刷ユニット２３へ順次搬送するようになっている。
【００２１】
印刷ユニット２３は、たとえば、ピエゾジェット方式、サーマルジェット方式のものが用いられ、プリント用紙Ｐ１の搬送経路を挟んで互いに対向配置された印字ヘッド２３ａと吸着ファン２３ｂとを有している。
印字ヘッド２３ａは、搬送されてきたプリント用紙Ｐ１の表面に所望の画像を印刷するようになっている。このときプリント用紙Ｐ１はその裏面側に配置された吸着ファン２３ｂによって吸引されることによって印字ヘッド２３ａとの間隔を一定として搬送台２６に密着しながら搬送される。
切断ユニット２４は、プリント用紙Ｐ１の搬送経路を挟んで互いに対向配置された移動刃２４ａと固定刃２４ｂとを有している。移動刃２４ａおよび固定刃２４ｂは、プリント用紙Ｐ１の幅よりも若干幅尋な矩形をしていて、移動刃２４ａが固定刃２４ｂに近接または隔離するよう制御され印刷ユニット２３から搬送されてきた印刷済み用紙Ｐ２をその幅方向に沿って切断するようになっている。
【００２２】
搬出ローラユニット２５は、駆動ローラ対から構成され、切断ユニット２４において切断され所定のサイズにされた画像処理済みシート材としての印刷済み用紙Ｐ２を排出口２７まで搬送し、さらに排出口２７より外側近傍にあるサイズ振り分け部２ｂへと搬送するようになっている。
サイズ振り分け部２ｂは、Ａ４用トレイ２８と、搬送ベルト２１とを備えている。
【００２３】
Ａ４用トレイ２８は、Ｌ版サイズの印刷済み用紙Ｐ２が通過可能な振り分け孔２８ａを排出口２７の近傍に備えている。
すなわち、排出口２７から排出された印刷済み用紙Ｐ２は、図７に示すように、Ｌ版サイズより大きいものは、Ａ４用トレイ２８に受けられ、Ｌ版サイズより小さいものは、振り分け孔２８ａを通って搬送ベルト２１に受けられるようになっている。
【００２４】
そして、搬送ベルト２１に受けられた印刷済み用紙Ｐ２は、搬送ベルト２１によって仕分け装置１方向に搬送され、後述するように、受け位置に配置された受け皿３ａ（３ｂ〜３ｄ）に受けられるようになっている。
【００２５】
つぎに、本発明の仕分け装置１の動作について図２〜図５を用いて詳しく説明する。
まず、初期状態では、図２に示すように、4枚の受け皿３ａ〜３ｄを重ね合わせ状態になっていて、搬送ベルト２１から搬送されてくる印刷済み用紙Ｐ２が最上段の受け皿３ａに受けられる。
【００２６】
つぎに、受け皿３ａに１オーダー分等の設定された枚数の印刷済み用紙Ｐ２が受けられると、駆動モータ４７が作動し、駆動ベルト４６が図２の矢印Ａ方向に動き、駆動ベルト４６の動きに伴って受け皿支持部４１と共に受け皿３ａが上昇する。
そして、受け皿支持部４１に設けられた遮蔽板４１ｃが第１センサＳ１の位置にきたことを第１センサＳ１で感知されると、駆動モータ４７が停止し、２段目の受け皿３ｂに搬送ベルト２１から搬送されてくる印刷済み用紙Ｐ２が受けられる。また、この時、係止部４１ｆが被係止部４２ｆに当接状態、すなわち、係止状態となる。
【００２７】
同様にして受け皿３ｂに設定された枚数の印刷済み用紙Ｐ２が受けられると、駆動モータ４７が再び駆動し、駆動ベルト４６が図３の矢印Ａ方向に動き、駆動ベルト４６の動きに伴って受け皿支持部４１と共に受け皿３ａが上昇するとともに、係止部４１ｆが被係止部４２ｆに係止されているので、受け皿支持部４１の上昇に伴って、受け皿支持部４２および受け皿３ｂも上昇する。
そして、受け皿支持部４２に設けられた遮蔽板４２ｃが第１センサＳ１の位置にきたことを第１センサＳ１で感知されると、駆動モータ４７が停止し、３段目の受け皿３ｃに搬送ベルト２１から搬送されてくる印刷済み用紙Ｐ２が受けられる。また、この時、係止部４２ｇが被係止部４３ｇに当接状態、すなわち、係止状態となる。
【００２８】
同様にして受け皿３ｃに設定された枚数の印刷済み用紙Ｐ２が受けられると、駆動モータ４７が再び駆動し、駆動ベルト４６が図４の矢印Ａ方向に動き、駆動ベルト４６の動きに伴って受け皿支持部４１と共に受け皿３ａが上昇するとともに、係止部４１ｆが被係止部４２ｆに係止され、係止部４２ｇが被係止部４３ｇに係止されているので、受け皿支持部４１の上昇に伴って、受け皿支持部４２および受け皿支持部４３と共に受け皿３ｂおよび受け皿３ｃも上昇する。
そして、図５に示すように、受け皿支持部４３に設けられた遮蔽板４３ｃが第１センサＳ１の位置にきたことを第１センサＳ１で感知されると、駆動モータ４７が停止し、最下段の固定された受け皿３ｄに搬送ベルト２１から搬送されてくる印刷済み用紙Ｐ２が受けられる。また、この時、受け皿支持部４３の下端に設けられた遮蔽板４３ｈが第２センサＳ２によって検知される位置になり、駆動モータ４７がそれ以上受け皿３ａが上昇する方向に動かないようになっている。
【００２９】
一方、オペレータ等が４枚の受け皿３ａ〜３ｄにそれぞれ受けられた印刷済み用紙Ｐ２を受け皿３ａ〜３ｄから取り出し、インクジェット式プリンタ２の操作部で受け皿３ａ〜３ｄを初期状態に戻す操作を行えば、駆動モータ４７が逆方向に回転し、駆動ベルト４６が図５に示す矢印Ｂ方向に駆動し、駆動ベルト４６の駆動に伴って、受け皿支持部４１〜４３および受け皿支持部４１〜４３に枢支された受け皿３ａ〜３ｃが下降する。
そして、受け皿支持部４２および受け皿支持部４３は、受け皿３ｃが受け皿３ｄに受けられ、係止部４２ｇと被係止部４３ｇとの係合が解除され、受け皿３ｂが受け皿３ｃに受けられ、係止部４２ｇと被係止部４３ｇとの係合が解除されるまで、それぞれ受け皿支持部４１といっしょに下降する。
【００３０】
最後に、受け皿支持部４１に設けられた遮蔽板４１ｃが第２センサＳ２の位置にきたことを第２センサＳ２で感知されると、駆動モータ４７が停止し、４枚の受け皿３ａ〜３ｄが重ね合わされた図２に示す初期状態に戻るようになっている。
【００３１】
この仕分け装置１は、以上のように、初期状態では４枚の受け皿３ａ〜３ｄが重ね合わせ状態になっているので、初期状態において嵩張らない。また、受け皿３ａ〜３ｃが上下方向に移動するだけであるので、受け皿３ａ〜３ｃを反転させるスペースが不要で水平方向の幅も少なくすることができる。しかも、受け皿作動機構４も単純なもので済み、装置コストの低減化を図ることができる。
【００３２】
図８は、本発明にかかる画像処理装置の画像処理済みシート材仕分け装置の１つの実施の形態をあらわしている。
図８に示すように、この画像処理済みシート材仕分け装置（以下、「仕分け装置」とのみ記す）８は、カバー８０内に収容された受け皿作動機構（図示せず）によって支持された４枚の受け皿８１〜８４を備え、初期状態では、図８（ａ）に示すように、下から２段目の受け皿８２がカバー８０内に設けられたストッパ（図示せず）によって係止されて下降が停止された状態になっているとともに、最下段の受け皿８１が搬送ベルト２１から搬送されてくる印刷済み用紙Ｐ２を受ける位置に、上記の仕分け装置１のように、受け皿８２側に設けられた係止部（図示せず）に受け皿８１側に設けられた被係止部（図示せず）に係止されることによって、吊り下げ状態で保持される。また、受け皿８３および受け皿８４は、受け皿８２の上に重ね合わされた状態で保持されている。
【００３３】
そして、図８（ｂ）に示すように、受け皿８１に設定された枚数の印刷済み用紙Ｐ２が受けられると、ストッパの下から２番目の受け皿８２への係止が解除されたのち、下から３番目の受け皿８３がストッパに係止され、係止が解除された受け皿８２が受け皿８２側に設けられた係止部（図示せず）に受け皿８１側に設けられた被係止部（図示せず）に係止される搬送ベルト２１から搬送されてくる印刷済み用紙Ｐ２を受ける位置まで自重によって下降する。また、受け皿８２の下降に伴って、受け皿８１も同様に下降する。
【００３４】
同様にして、図８（ｃ）および図８（ｄ）に示すように、受け皿８３および受け皿８４に設定された枚数の印刷済み用紙Ｐ２が受けられるようになっている。
また、図８（ｄ）に示すように、受け皿８４が印刷済み用紙Ｐ２を受ける位置に到達した状態では、最下段の受け皿８１がストッパによってそれ以上に下降が抑止されるので、受け皿８２が受け皿８１に受けられた印刷済み用紙Ｐ２によって下方から受けられる位置まで下降する。
【００３５】
そして、受け皿８４に設定された枚数の印刷済み用紙Ｐ２が受けられると、オペレータ等が受け皿８１〜８４から印刷済み用紙Ｐ２を取り出したのち、手で受け皿８２をストッパに係止されるまで押し上げ、初期状態に戻すようになっている。
【００３６】
この仕分け装置８は、以上のようになっており、上記仕分け装置１と同様の効果を備えているとともに、駆動モータ等が不要になり、よりコストダウンを図ることができる。また、受け皿８４が印刷済み用紙Ｐ２を受ける位置に到達した状態では、最下段の受け皿８１がストッパによってそれ以上に下降が抑止されるので、受け皿８２が受け皿８１に受けられた印刷済み用紙Ｐ２によって下方から受けられる位置まで下降するので、高さ方向をよりコンパクトにすることができる。
【００３７】
本発明にかかる画像処理済みシート材仕分け装置は、上記の実施の形態に限定されない。たとえば、上記の実施の形態では、受け皿の位置検出用のセンサとして光透過型フォトインタラプタが用いられていたが、光透過型フォトインタラプタに代えて光反射型フォトインタラプタ、近接スイッチ、リミットスイッチなどを用いることもできる。
また、上記の実施の形態では、インクジェット式プリンタに装着されていたが、写真処理装置のプロセッサ等の他の画像処理装置にも装着することができる。
【００３８】
上記の実施の形態では、駆動モータが正逆回転可能になっていたが、１方向に回転するモータを用い、ギヤ等の切り換えによって駆動ベルトを正逆回転させるようにしても構わない。
【図面の簡単な説明】
【００３９】
【図１】本発明にかかる画像処理装置の画像処理済みシート材仕分け装置の１つの実施の形態であって、そのインクジェット式プリンタへの装着状態をあらわす斜視図である。
【図２】図１の仕分け装置の動作を説明する図であって、受け皿の初期状態をあらわす断面図である。
【図３】図１の仕分け装置の動作を説明する図であって、図２のつぎの動作状態をあらわす断面図である。
【図４】図１の仕分け装置の動作を説明する図であって、図３のつぎの動作状態をあらわす断面図である。
【図５】図１の仕分け装置の動作を説明する図であって、図４のつぎの動作状態をあらわす断面図である。
【図６】インクジェット式プリンタの断面を模式的にあらわす断面図である。
【図７】図６のインクジェット式プリンタの振り分け部を説明する図であって、同図（ａ）はＡ４用トレイの平面図、同図（ｂ）は断面図である。
【図８】本発明にかかる画像処理装置の画像処理済みシート材仕分け装置の他の実施の形態をあらわし、その動作を説明する側面図である。
【図９】従来の仕分け装置付きの画像処理装置の１例をあらわす斜視図である。
【図１０】従来の仕分け装置付きの画像処理装置の他例をあらわす斜視図である。
【符号の説明】
【００４０】
１，８  画像処理済みシート材仕分け装置
２  インクジェット式プリンタ（画像処理装置）
３ａ，３ｂ，３ｃ，３ｄ，８１，８２，８３，８４  受け皿
４  受け皿作動機構
２７  排出部
Ｐ２  印刷済み用紙（画像処理されたシート材）
【図１】
2005145596.tif 000003
【図２】
2005145596.tif 000004
【図３】
2005145596.tif 000005
【図４】
2005145596.tif 000006
【図５】
2005145596.tif 000007
【図６】
2005145596.tif 000008
【図７】
2005145596.tif 000009
【図８】
2005145596.tif 000010
【図９】
2005145596.tif 000011
【図１０】
2005145596.tif 000012